(57)【要約】【課題】電力系統計算機システム７を複数の現地オンライン保守装置３と中央オンライン保守装置４を用いて遠方より２４時間リアルタイムで監視できるようにする。【解決手段】監視すべき電力系統計算機システム７と接続されて、該電力系統計算機システム７で検出された異常情報、障害関連情報、エラーログ、保守情報比較結果を収集して保存する現地オンライン保守装置３を設ける。また、複数の現地オンライン保守装置３に保存されている各情報に基づき電力系統計算機システム７の保守が行えるように通信線５で中央オンライン保守装置４と接続する。そして、電力系統計算機システム７を複数の現地オンライン保守装置３と中央オンライン保守装置４を用いて遠方より２４時間リアルタイムで監視できるようにする。【選択図】      図１
2004272431.tif 000002
【特許請求の範囲】
【請求項１】
電力系統を監視制御する複数の電力系統計算機システムの保守管理に用いられる電力系統計算機オンライン保守システムにおいて、
監視すべき電力系統計算機システムとＬＡＮや専用回線等により接続されて、当該電力系統計算機システムで検出された異常情報、障害発生に関連する障害関連情報及びこれらに関するエラーログ並びに前記電力系統計算機システムにおける構成部品の動作時間、経過年数、動作回数等に関する保守情報比較結果を収集して保存する現地オンライン保守装置と、
複数の前記現地オンライン保守装置に保存されている前記異常情報、障害関連情報、エラーログ、保守情報比較結果を収集し保存し、当該収集した各情報に基づき前記電力系統計算機システムの保守が行えるようにする中央オンライン保守装置と、
複数の前記現地オンライン保守装置と前記中央オンライン保守装置とを専用回線、共用回線、イントラネット、インターネット等により接続してこれらの間で各種の情報の送受信が行えるようにする通信線とを有することを特徴とする電力系統計算機オンライン保守システム。
【請求項２】
前記現地オンライン保守装置が、前記電力系統計算機システムから当該電力系統計算機システム内に異常が検出された際に出力される異常情報を受信し、また前記電力系統計算機システムに要求したエラーログを当該電力系統計算機システムから受信する受信インターフェース手段と、
前記異常情報及び前記エラーログの種別を判定する受信種別判定手段と、
前記異常情報を保存する異常情報手段と、
前記異常情報を受信した後に、前記電力系統計算機システムに対しエラーログ要求を送信する必要性があるかを判定するエラーログ採取判定手段と、
前記電力系統計算機システムに対しエラーログ要求を送信する送信インターフェース手段と、
前記エラーログを保存するエラーログ保存手段とを有することを特徴とする請求項１記載の電力系統計算機オンライン保守システム。
【請求項３】
前記現地オンライン保守装置が、前記電力系統計算機システムから当該電力系統計算機システム内で検出された障害に関連する障害関連情報を受信し、また前記電力系統計算機システムに要求したエラーログを当該電力系統計算機システムから受信する受信インターフェース手段と、
受信した前記障害関連情報を保存する障害関連情報保存手段と、
前記障害関連情報に基づき、前記電力系統計算機システムに対しエラーログ要求を送信する必要性があるかを判定するエラーログ採取判定手段と、
前記電力系統計算機システムに対しエラーログ要求をする送信インターフェース手段と、
前記エラーログ要求に対応して前記電力系統計算機システムから前記受信インターフェースを介して受信したエラーログを保存するエラーログ保存手段とを有することを特徴とする請求項１又は２記載の電力系統計算機オンライン保守システム。
【請求項４】
前記現地オンライン保守装置が、前記保守情報が入力できるようにする保守情報入力手段と、
該保守情報入力手段により入力された保守情報を入力保守情報として保存する入力保守情報保存手段と、
前記電力系統計算機システムを形成する構成部品の動作時間、経過年数、動作回数等の保守情報を検出する保守情報検出手段と、
該保守情報検出手段により検出された保守情報を検出保守情報として保存する検出保守情報保存手段と、
前記入力保守情報と前記検出保守情報とを比較する保守情報比較手段と、
該保守情報比較手段により比較された結果を保守情報比較結果として保存する比較結果保存手段と、
前記入力保守情報、前記検出保守情報及び前記保守情報比較結果を表示する表示手段とを有することを特徴とする請求項１乃至３いずれか１項記載の電力系統計算機オンライン保守システム。
【請求項５】
前記現地オンライン保守装置が、前記異常情報保存手段に保存されている異常情報、前記エラーログ保存手段に保存されているエラーログ、前記障害関連情報保存手段に保存されている障害関連情報、及び前記比較結果保存手段に保存されている保守情報比較結果を前記中央オンライン保守装置に前記通信線を介して自動送信する現地送信手段を有することを特徴とする請求項１乃至４いずれか１項記載の電力系統計算機オンライン保守システム。
【請求項６】
前記中央オンライン保守装置が、前記現地オンライン保守装置に保存されている前記異常情報、障害関連情報、エラーログ、及び保守情報比較結果の少なくとも１の情報が必要になったときに、そのことを示す情報要求通知を入力する送信要求種別入力手段と、
前記情報要求通知を前記現地オンライン保守装置に出力する中央送信手段とを有し、
前記現地オンライン保守装置が、前記中央送信手段から前記情報要求通知を受信する現地受信手段と、
前記情報要求通知が前記異常情報、障害関連情報、エラーログ、及び保守情報比較結果の何の情報を要求しているかを判断して、該当する情報を前記現地送信手段を介して送信させる送信要求種別判定手段とを有することを特徴とする請求項５記載の電力系統計算機オンライン保守システム。
【請求項７】
前記中央オンライン保守装置が、前記電力系統計算機システムにおける各構成部品の製品名、型式名、耐用期間、代用品名、使用場所名、数量、納入日等の耐用期間に関する情報を保守管理情報として入力できるようにする保守管理情報入力手段と、
前記保守管理情報を保存する保守管理情報保存手段と、
前記電力系統計算機システムにおける各構成部品のうち耐用期間が経過した構成部品を検出する耐用期間オーバ部品検出手段と、
該耐用期間オーバ部品検出手段によ検出結果を耐用期間オーバ情報として保存する耐用期間オーバ部品検出結果保存手段と、
前記保守管理情報、前記耐用期間オーバ情報、及び耐用期間が経過した前記構成部品を表示する表示手段とを有することを特徴とする請求項１乃至６いずれか１項記載の電力系統計算機オンライン保守システム。
【請求項８】
前記中央オンライン保守装置が、前記現地オンライン保守装置から前記異常情報、障害関連情報、エラーログ、及び保守情報比較結果を受信する中央受信手段と、
該中央受信手段を介して受信された情報を解析する解析手段と、
該解析手段による解析結果を保存する解析結果保存手段と、
該解析結果保存手段に保存された解析結果を表示する表示手段とを有することを特徴とする請求項１乃至７いずれか１項記載の電力系統計算機オンライン保守システム。
【発明の詳細な説明】
【０００１】
【発明の属する技術分野】
本発明は、電力系統計算機システムにより電力系統を監視制御するシステムを保守するのに用いられる電力系統計算機オンライン保守システムに関する。
【０００２】
【従来の技術】
従来、電力系統を電力系統計算機システムにより監視制御することが行われている。この場合、電力系統計算機システムに障害が発生しても遠方のメーカーは事前に知ることができないので、システム運用者からの連絡によって障害が発生したことを初めて知らされていた。
【０００３】
そして、当該連絡を受けると、現地移動準備を行い現地に移動して、現地で障害調査の準備をし障害調査を行いっていた（特許文献１参照）。
【０００４】
【特許文献１】
特開２００２−６９３８号公報
【０００５】
【発明が解決しようとする課題】
しかしながら、このような対応は、送電系ばかりでなく電力系統計算機システムにおいても行われているが、電力系統計算機システムに発生した障害は、障害発生時であれば原因究明が可能であるが、時間が経過してしまうと当該障害が再度発生するとは限らないため原因究明できない場合があった。
【０００６】
そこで、本発明は、電力系統計算機システムを複数の現地オンライン保守装置と中央オンライン保守装置を用いて遠方より２４時間リアルタイムで監視できるようにして、障害発生時の情報を取り逃すことなく採取することで、現地に移動して障害調査をするための時間短縮や保守ができるようにした電力系統計算機オンライン保守システムを提供することを目的とする。
【０００７】
【課題を解決するための手段】
上記課題を解決するため、請求項１にかかる発明は、電力系統を監視制御する複数の電力系統計算機システムの保守管理に用いられる電力系統計算機オンライン保守システムにおいて、監視すべき電力系統計算機システムとＬＡＮや専用回線等により接続されて、当該電力系統計算機システムで検出された異常情報、障害発生に関連する障害関連情報及びこれらに関するエラーログ並びに電力系統計算機システムにおける構成部品の動作時間、経過年数、動作回数等に関する保守情報比較結果を収集して保存する現地オンライン保守装置と、複数の現地オンライン保守装置に保存されている異常情報、障害関連情報、エラーログ、保守情報比較結果を収集し保存し、当該収集した各情報に基づき電力系統計算機システムの保守が行えるようにする中央オンライン保守装置と、複数の現地オンライン保守装置と中央オンライン保守装置とを専用回線、共用回線、イントラネット、インターネット等により接続してこれらの間で各種の情報の送受信が行えるようにする通信線とを有して、電力系統計算機システムを複数の現地オンライン保守装置と中央オンライン保守装置を用いて遠方より２４時間リアルタイムで監視できるようにして、障害発生時の情報を取り逃すことなく採取することで、現地に移動して障害調査をするための時間短縮や保守ができるようにしたことを特徴とする。
【０００８】
請求項２にかかる発明は、現地オンライン保守装置が、電力系統計算機システムから当該電力系統計算機システム内に異常が検出された際に出力される異常情報を受信し、また電力系統計算機システムに要求したエラーログを当該電力系統計算機システムから受信する受信インターフェース手段と、異常情報及びエラーログの種別を判定する受信種別判定手段と、異常情報を保存する異常情報手段と、異常情報を受信した後に、電力系統計算機システムに対しエラーログ要求を送信する必要性があるかを判定するエラーログ採取判定手段と、電力系統計算機システムに対しエラーログ要求を送信する送信インターフェース手段と、エラーログを保存するエラーログ保存手段とを有することを特徴とする。
【０００９】
請求項３にかかる発明は、現地オンライン保守装置が、電力系統計算機システムから当該電力系統計算機システム内で検出された障害に関連する障害関連情報を受信し、また電力系統計算機システムに要求したエラーログを当該電力系統計算機システムから受信する受信インターフェース手段と、受信した障害関連情報を保存する障害関連情報保存手段と、障害関連情報に基づき、電力系統計算機システムに対しエラーログ要求を送信する必要性があるかを判定するエラーログ採取判定手段と、電力系統計算機システムに対しエラーログ要求をする送信インターフェース手段と、エラーログ要求に対応して電力系統計算機システムから受信インターフェースを介して受信したエラーログを保存するエラーログ保存手段とを有することを特徴とする。
【００１０】
請求項４にかかる発明は、現地オンライン保守装置が、保守情報が入力できるようにする保守情報入力手段と、該保守情報入力手段により入力された保守情報を入力保守情報として保存する入力保守情報保存手段と、電力系統計算機システムを形成する構成部品の動作時間、経過年数、動作回数等の保守情報を検出する保守情報検出手段と、該保守情報検出手段により検出された保守情報を検出保守情報として保存する検出保守情報保存手段と、入力保守情報と検出保守情報とを比較する保守情報比較手段と、該保守情報比較手段により比較された結果を保守情報比較結果として保存する比較結果保存手段と、入力保守情報、検出保守情報及び保守情報比較結果を表示する表示手段とを有することを特徴とする。
【００１１】
請求項５にかかる発明は、現地オンライン保守装置が、異常情報保存手段に保存されている異常情報、エラーログ保存手段に保存されているエラーログ、障害関連情報保存手段に保存されている障害関連情報、及び比較結果保存手段に保存されている保守情報比較結果を中央オンライン保守装置に通信線を介して自動送信する現地送信手段を有することを特徴とする。
【００１２】
請求項６にかかる発明は、中央オンライン保守装置が、現地オンライン保守装置に保存されている異常情報、障害関連情報、エラーログ、及び保守情報比較結果の少なくとも１の情報が必要になったときに、そのことを示す情報要求通知を入力する送信要求種別入力手段と、情報要求通知を現地オンライン保守装置に出力する中央送信手段とを有し、現地オンライン保守装置が、中央送信手段から情報要求通知を受信する現地受信手段と、情報要求通知が異常情報、障害関連情報、エラーログ、及び保守情報比較結果の何の情報を要求しているかを判断して、該当する情報を現地送信手段を介して送信させる送信要求種別判定手段とを有することを特徴とする。
【００１３】
請求項７にかかる発明は、中央オンライン保守装置が、電力系統計算機システムにおける各構成部品の製品名、型式名、耐用期間、代用品名、使用場所名、数量、納入日等の耐用期間に関する情報を保守管理情報として入力できるようにする保守管理情報入力手段と、保守管理情報を保存する保守管理情報保存手段と、電力系統計算機システムにおける各構成部品のうち耐用期間が経過した構成部品を検出する耐用期間オーバ部品検出手段と、該耐用期間オーバ部品検出手段によ検出結果を耐用期間オーバ情報として保存する耐用期間オーバ部品検出結果保存手段と、保守管理情報、耐用期間オーバ情報、及び耐用期間が経過した構成部品を表示する表示手段とを有することを特徴とする。
【００１４】
請求項８にかかる発明は、中央オンライン保守装置が、現地オンライン保守装置から異常情報、障害関連情報、エラーログ、及び保守情報比較結果を受信する中央受信手段と、該中央受信手段を介して受信された情報を解析する解析手段と、該解析手段による解析結果を保存する解析結果保存手段と、該解析結果保存手段に保存された解析結果を表示する表示手段とを有することを特徴とする。
【００１５】
【発明の実施の形態】
本発明の実施の形態を図を参照して説明する。図１は、本発明にかかる電力系統を監視制御する電力系統計算機オンライン保守システム１の構成図で、複数の現地オンライン保守装置３、中央オンライン保守装置４とにより構成されている。
【００１６】
そして、中央オンライン保守装置４は、各地に設置された複数の現地オンライン保守装置３と専用回線、共用回線、イントラネット、インターネット等の通信線５により接続されて、１対Ｎ通信（Ｎは現地オンライン保守装置の数）を行っている。
【００１７】
また、現地オンライン保守装置３は、監視すべき電力系統計算機システム７とＬＡＮや専用回線等の通信線６により接続されて、電力系統計算機システム７から異常情報、障害発生する前に当該障害の発生原因となる危険要素やアラーム情報である障害関連情報、エラーログ、電力系統計算機システム７の構成部品における動作時間、経過年数、動作回数等の検出した情報である検出保守情報等の情報を収集できるようになっている。
【００１８】
このように収集した異常情報等は、中央オンライン保守装置４に送信されて、原因究明に利用されると共に保守に利用できるようになっている。
【００１９】
このように電力系統計算機オンライン保守システム１は１ヶ所の中央オンライン保守装置４から各地にある複数の現地オンライン保守装置３の情報を収集することができるため、異常情報、エラーログ等の情報を収集するために現地に赴く必要が無くなり大幅な時間の短縮が可能になる。
【００２０】
次に、現地オンライン保守装置３と中央オンライン保守装置４との詳細な構成、作用効果を図２を参照しながら説明する。
【００２１】
図２は、１の現地オンライン保守装置３と中央オンライン保守装置４とが接続された状態における各装置の詳細な構成を示す図である。
【００２２】
なお、説明の都合から、現地オンライン保守装置３と中央オンライン保守装置４の構成、作用効果を（１）異常情報、障害関連情報、エラーログの収集保存の機能について、（２）保守情報の収集保存の機能について、（３）現地オンライン保守装置が収集した異常情報等の自動送信機能について、（４）中央オンライン保守装置４からの情報要求機能及び解析機能について、（５）耐用期間の保守管理機能についての項目に分けて説明する。
【００２３】
（１）異常情報、障害関連情報、エラーログ、保守情報の収集保存の機能の構成及び作用効果は以下のようになっている。
【００２４】
即ち、現地オンライン保守装置３は、受信インターフェース手段１１、異常情報保存手段１４、エラーログ採取判定手段１６、送信インターフェース手段１７、エラーログ保存手段１３、受信種別判定手段１２、障害関連情報保存手段１５、エラーログ採取判定手段１６、送信インターフェース手段１７、保守情報入力手段２８、入力保守情報保存手段２９、保守情報検出手段２２、検出保守情報保存手段２３、保守情報比較手段２４、保守情報比較結果保存手段２５、表示情報処理手段２６とディスプレイ２７とからなる表示手段３０を有している。
【００２５】
そして、電力系統計算機システム７が、当該電力系統計算機システム７内で異常を検出した場合や障害関連情報を検出した場合には、その異常情報、障害関連情報が現地オンライン保守装置３に送られる。
【００２６】
この異常情報、障害関連情報は、受信インターフェース手段１１を介して受信され、受信種別判定手段１２が、受信した情報の種別を判定して、その情報が異常情報、障害関連情報であるか否かを判断し、異常情報の場合には異常情報保存手段１４に保存し、障害関連情報の場合には障害関連情報保存手段１５に保存する。
【００２７】
また、受信種別判定手段１２の判定結果は、エラーログ採取判定手段１６にも送られ、当該エラーログ採取判定手段１６で電力系統計算機システム７に対して受信した情報に関するエラーログを要求する必要があるか否かが判定される。
【００２８】
この結果、エラーログ要求を送信する必要があると判定した場合には、送信インターフェース手段１７を介して電力系統計算機システム７に対しエラーログ要求を行う。
【００２９】
電力系統計算機システム７は、当該要求に基づきエラーログを送信し、該エラーログは受信インターフェース手段１１を介して受信されてエラーログ保存手段１３に保存される。
【００３０】
なお、電力系統計算機システム７からのエラーログは、受信インターフェース手段１１を介して受信されるが、この情報がエラーログであるか否かは受信種別判定手段１２により判定され、エラーログの場合にエラーログ保存手段１３に保存されるようになっている。
【００３１】
これにより、電力系統計算機システム７で異常が検出され、また障害に至る事態が検出されると、異常情報や障害関連情報として瞬時に現地オンライン保守装置３に収集されるようになり、従来のように現地に赴いて異常情報を収集するひつようがなくなり、収集漏れ等が防止できると共に原因究明の時間が大幅に短縮することが可能になる。
【００３２】
また、現地オンライン保守装置３は、電力系統計算機システム７から送信される情報の種別によって、エラーログの採取が必要かどうかを判別するエラーログ採取判定手段１６を持つため、必要時にのみエラーログの送信要求を電力系統計算機システム７に送信することで、電力系統計算機システム７等における負荷を軽減することが可能になる。
【００３３】
（２）保守情報の収集保存は以下のように行われる。即ち、現地オンライン保守装置３は、保守情報入力手段２８、入力保守情報保存手段２９、保守情報検出手段２２、検出保守情報保存手段２３、保守情報比較手段２４、保守情報比較結果保存手段２５、表示情報処理手段２６とディスプレイ２７とからなる表示手段３０を有している。
【００３４】
そして、保守情報入力手段２８から電力系統計算機システム７を構成する構成部品の耐用動作時間、耐用経過年数、耐用動作回数等の保守情報が入力されて、この保守情報は入力保守情報として入力保守情報保存手段２９に保存される。
【００３５】
一方、保守情報検出手段２２により電力系統計算機システム７を構成する構成部品の動作時間、経過年数、動作回数等が検出され、この検出結果が検出保守情報として検出保守情報保存手段２３に保存される。
【００３６】
この入力保守情報と検出保守情報とは、保守情報比較手段２４により比較されて、その保守情報比較結果が保守情報比較結果保存手段２５に保存される。
【００３７】
そして、入力保守情報、検出保守情報、保守情報比較結果の各情報は表示情報処理手段２６により表示に適した処理が行われてディスプレイ２７に表示される。
【００３８】
従って、現地オンライン保守装置３は電力系統計算機システム７の入力保守情報と検出保守情報とを比較することにより容易に保守期限の切れた構成部品等を把握することが可能になる。
【００３９】
（３）現地オンライン保守装置３が収集した異常情報等の自動送信機能は以下のように行われる。即ち、現地オンライン保守装置３は、自動送信手段１８、現地送信手段２１を有している。
【００４０】
そして、自動送信手段１８は、異常情報保存手段１４、エラーログ保存手段１３、障害関連情報保存手段１５及び保守情報比較結果保存手段２５に保存されている各情報を現地送信手段２１から通信線５を介して遠方の中央オンライン保守装置４に自動的に送信する。
【００４１】
これにより、現地オンライン保守装置３で収集した異常情報、エラーログ、障害関連情報、保守情報比較結果が自動的に中央オンライン保守装置４に送信することができるようになって、遠隔地の中央オンライン保守装置４で異常原因の究明等が容易、かつ、確実に行えるようになる。
【００４２】
（４）中央オンライン保守装置４からの情報要求機能及び解析機能については以下のように行われる。即ち、現地オンライン保守装置３は、現地受信手段２０、送信要求種別判定手段１９を有し、中央オンライン保守装置４は、中央送信手段４１、送信要求種別入力手段４２、中央受信手段４３、解析手段４４、解析結果保存手段４５、表示情報処理手段４８とディスプレイ４９とからなる表示手段５２を有している。
【００４３】
そして、中央オンライン保守装置４で所望する情報があるときは、所望する情報の送信要求が送信要求種別入力手段４２から入力され、該要求は中央送信手段４１から通信線５を介して、現地オンライン保守装置３の現地受信手段２０により受信される。
【００４４】
該現地受信手段２０で受信された要求は、送信要求種別判定手段１９により要求種別を判定し、該判定に基づき、異常情報保存手段１４、エラーログ保存手段１３、障害関連情報保存手段１５、保守情報比較結果保存手段２５に保存されている情報から該当する情報を検索して、現地送信手段２１から通信線５を介して遠方の中央オンライン保守装置４に送信する。
【００４５】
これにより現地オンライン保守装置３は、送信要求に該当した異常情報、エラーログ、障害関連情報、保守情報比較結果の一部又は全てを中央オンライン保守装置４に送信され、中央受信手段４３により受信される。
【００４６】
該中央受信手段４３により受信された各情報は、解析手段４４で異常等が発生した原因究明の解析され、その結果が解析結果保存手段４５に保存される。
【００４７】
解析結果保存手段４５に保存された情報は、表示情報処理手段４８で所定の表示フォーマットに調整されてディスプレイ４９に表示される。
【００４８】
これにより、中央オンライン保守装置４は、必要に応じて送信要求種別を入力することにより、現地オンライン保守装置３から異常情報、障害関連情報、エラーログ、保守情報比較結果等の情報を収集解析して、表示することができるようになり、遠隔地の中央オンライン保守装置４からでも収集漏れ等が防止できると共に原因究明の時間が大幅に短縮することが可能になる。
【００４９】
（５）耐用期間の保守管理機能については以下のように行われる。即ち、中央オンライン保守装置４は、耐用期間オーバー検出手段５０、耐用期間オーバー検出結果保存手段５１、保守管理情報入力手段４６、保守管理情報保存手段４７を有している。
【００５０】
そして、予め各地にある個々の電力系統計算機システム７の構成部品に関する製品名、型式名、耐用期間、代用品名、使用場所名、数量、納入日等の保守管理情報が保守管理情報入力手段４６により入力されて保守管理情報保存手段４７に保存される。
【００５１】
この保守管理情報の中から、耐用期間オーバー検出手段５０は耐用期間を経過した製品を検出し、その検出結果に基づき耐用期間オーバー検出結果保存手段５１が耐用期間を経過した製品の情報を耐用期間オーバ情報として保存する。
【００５２】
保守管理情報保存手段４７と耐用期間オーバー検出結果保存手段５１とに保存されている保守管理情報及び耐用期間オーバ情報は表示情報処理手段４８により表示フォーマットに変換されてディスプレイ４９に表示される。
【００５３】
これにより、各地にある個々の電力系統計算機システム７に使用されている構成部品の保守管理情報が入力でき、また耐用期間オーバーした構成部品を拾上げて表示することができるようになり、保守管理が容易に行えるようになる。
【００５４】
【発明の効果】
以上説明したように、本発明によれば、各地にある電力系統監視システムを遠方の中央オンライン保守装置で２４時間リアルタイムに監視することができ、システム障害発生時等における原因究明が現地赴かなくても行えるようになり、保守管理が容易になると共に、信頼性が向上する。
【００５５】
また、各地にある電力系統監視システムにおける構成部品の耐用期間等の情報が中央オンライン保守装置で自動的又は手動的に表示することができるので保守管理が容易になる。
【図面の簡単な説明】
【図１】電力系統計算機オンライン保守システムの概略構成図である。
【図２】電力系統計算機オンライン保守システムの詳細な構成図である。
【符号の説明】
１  電力系統計算機オンライン保守システム
３  現地オンライン保守装置
４  中央オンライン保守装置
５  通信線
６  通信線
７  電力系統計算機システム
１１  受信インターフェース手段
１２  受信種別判定手段
１３  エラーログ保存手段
１４  異常情報保存手段
１５  障害関連情報保存手段
１６  エラーログ採取判定手段
１７  送信インターフェース手段
１８  自動送信手段
１９  送信要求種別判定手段
２０  現地受信手段
２１  現地送信手段
２２  保守情報検出手段
２３  検出保守情報保存手段
２４  保守情報比較手段
２５  保守情報比較結果保存手段
２６，４８  表示情報処理手段
２７，４９  ディスプレイ
２８  保守情報入力手段
２９  入力保守情報保存手段
３０，５２  表示手段
４１  中央送信手段
４２  送信要求種別入力手段
４３  中央受信手段
４４  解析手段
４５  解析結果保存手段
４６  保守管理情報入力手段
４７  保守管理情報保存手段
５０  耐用期間オーバー検出手段
５１  耐用期間オーバー検出結果保存手段
【図１】
2004272431.tif 000003
【図２】
2004272431.tif 000004